(57)【特許請求の範囲】
【請求項１】
シート状の基材層と、
前記基材層上に形成された粘着剤層と、
外部の取付け対象に、着脱されるための着脱部と、を備えた害虫捕獲用粘着シートであって、
前記着脱部は、略４角形状を有し、その４角形状の上辺を除き、他の３辺には前記基材層を貫通する連続した切れ込みが形成され、かつ前記他の３辺の切れ込みのうち左右の２辺の切れ込みが互いに対称形又は非対称形の鋸形状を有し、前記４角形状の上辺を残して前記３辺の切れ込みを切り離すことによって、前記外部の取付け対象を前記基材層との間で着脱可能に挟持し得る舌片部を形成し得るように構成された害虫捕獲用粘着シート。
【請求項２】
前記左右の２辺の鋸形状の切れ込みのそれぞれの最上端に接続して形成された、前記基材層を貫通する円形状の基材破断防止用貫通孔をさらに備えた請求項１に記載の害虫捕獲用粘着シート。
【請求項３】
前記基材層の下方中央部を貫通するように形成された、前記外部の取付け対象との着脱に使用される着脱用貫通孔をさらに備えた請求項１又は２に記載の害虫捕獲用粘着シート。
【請求項４】
前記着脱部は、その上方中央部に、前記着脱部が前記舌片部として着脱に使用されない場合に備えて、前記基材層を貫通する、前記外部の取付け対象との着脱に使用される着脱部貫通孔を有する請求項１〜３のいずれかに記載の害虫捕獲用粘着シート。
【請求項５】
前記着脱部は、その下辺の一部に形成された、前記切込みを中断する繋ぎ部をさらに有する請求項１〜４のいずれかに記載の害虫捕獲用粘着シート。
【請求項６】
前記外部の取付け対象は、空中に張架された紐又はワイヤーである請求項１〜５のいずれかに記載の害虫捕獲用粘着シート。
【発明の詳細な説明】
【技術分野】
【０００１】
本発明は、害虫捕獲用粘着シートに関する。さらに詳しくは、害虫（例えば、トマト、ナス、キューリ、メロン等に被害を与えるミナミキイロコナジラミ、オンシツコナジラミ、シルバーリーフコナジラミ等）を捕獲する必要のある、例えば、ハウス・温室、工場等の園芸施設、家庭菜園、ベランダ菜園等において好適に用いられる、取付け対象への容易かつ多様な着脱を実現することが可能であるとともに、取付け対象への取付け後、風等の外力による取付け対象からの逸脱、破断を防止することが可能な害虫捕獲用粘着シートに関する。
【背景技術】
【０００２】
このような害虫捕獲用粘着シートとして、基材本体に形成された第一の貫通孔と第二の貫通孔と、これらを連通する切れ目によって切り離して形成される舌片部とを有し、舌片部は、第一の貫通孔と第二の貫通孔との間の部位の少なくとも一部を介して、基材本体の他部と接続されている接続領域部と、接続領域部のうちの第一の貫通孔近傍の部位から、第一の貫通孔から第二の貫通孔に向かう方向と逆の方向および接続部位からみて接続領域部とは逆の方向に飛び出して形成される飛び出し領域部と、を含む飛翔害虫捕殺具（害虫捕獲用粘着シート）が提案されている（例えば、特許文献１参照）。
【先行技術文献】
【特許文献】
【０００３】
【特許文献１】特開２００９−２５４２８２号公報
【発明の概要】
【発明が解決しようとする課題】
【０００４】
しかしながら、特許文献１に記載された飛翔害虫捕殺具シートは、舌片部を形成する切れ目の形状が緩やかな円弧状であり、このような形状の舌片部と基材本体との間に、紐やワイヤー等の取付け対象を挟持するようにして飛翔害虫捕殺具シートを取付けた（吊り下げた）場合、風等の外力によって切れ目は元の（舌片部の形成前の）位置に何らの抵抗なしに復旧（戻って）してしまうため、取付け対象から外れ易く、また、貫通孔と切れ目との接続部で破断し易く、さらに、取付け対象が上述の第一の貫通孔と第二の貫通孔とを用いたものに限定されるため、遣い勝手が悪いこと等から、必ずしも十分に満足し得るものではなかった。
【課題を解決するための手段】
【０００５】
上記目的を達成するため、本発明によれば、以下の害虫捕獲用粘着シートが提供される。
【０００６】
［１］シート状の基材層と、前記基材層上に形成された粘着剤層と、外部の取付け対象に、着脱されるための着脱部と、を備えた害虫捕獲用粘着シートであって、前記着脱部は、略４角形状を有し、その４角形状の上辺を除き、他の３辺には前記基材層を貫通する連続した切れ込みが形成され、かつ前記他の３辺の切れ込みのうち左右の２辺の切れ込みが互いに対称形又は非対称形の鋸形状を有し、前記４角形状の上辺を残して前記３辺の切れ込みを切り離すことによって、前記外部の取付け対象を前記基材層との間で着脱可能に挟持し得る舌片部を形成し得るように構成された害虫捕獲用粘着シート。
【０００７】
［２］前記左右の２辺の鋸形状の切れ込みのそれぞれの最上端に接続して形成された、前記基材層を貫通する円形状の基材破断防止用貫通孔をさらに備えた前記［１］に記載の害虫捕獲用粘着シート。
【０００８】
［３］前記基材層の下方中央部を貫通するように形成された、前記外部の取付け対象との着脱に使用される着脱用貫通孔をさらに備えた前記［１］又は［２］に記載の害虫捕獲用粘着シート。
【０００９】
［４］前記着脱部は、その上方中央部に、前記着脱部が前記舌片部として着脱に使用されない場合に備えて、前記基材層を貫通する、前記外部の取付け対象との着脱に使用される着脱部貫通孔を有する前記［１］〜［３］のいずれかに記載の害虫捕獲用粘着シート。
【００１０】
［５］前記着脱部は、その下辺の一部に形成された、前記切込みを中断する繋ぎ部をさらに有する前記［１］〜［４］のいずれかに記載の害虫捕獲用粘着シート。
【００１１】
［６］前記外部の取付け対象は、空中に張架された紐又はワイヤーである前記［１］〜［５］のいずれかに記載の害虫捕獲用粘着シート。
【発明の効果】
【００１２】
本発明によれば、取付け対象への容易かつ多様な着脱を実現することが可能であるとともに、取付け対象への取付け後、風等の外力による取付け対象からの逸脱、破断を防止することが可能な害虫捕獲用粘着シートを提供することができる。
【図面の簡単な説明】
【００１３】
【図１】本発明の実施の形態に係る害虫捕獲用粘着シートを模式的に示す正面図である。
【図２】図１におけるＡ部の一部拡大図である。
【図３】本発明の実施の形態に係る害虫捕獲用粘着シートを取付け対象に取付けた、使用の状態を模式的に示す正面図である。
【図４】図２におけるＢ部の一部拡大図である。
【図５】図１におけるＣ−Ｃ線断面図である。
【発明を実施するための形態】
【００１４】
［実施の形態に係る害虫捕獲用粘着シート］
【００１５】
図１は、本発明の実施の形態に係る害虫捕獲用粘着シートを模式的に示す正面図である。図２は、図１におけるＡ部の一部拡大図である。図３は、本発明の実施の形態に係る害虫捕獲用粘着シートを取付け対象に取付けた、使用の状態を模式的に示す正面図である。図４は、図２におけるＢ部の一部拡大図である。
【００１６】
図１に示すように、本発明の実施の形態に係る害虫捕獲用粘着シート１０は、シート状の基材層１と、基材層１上に形成された粘着剤層２と、外部の取付け対象２０（例えば、空中に張架された紐又はワイヤー等、図３参照）に、着脱されるための着脱部３と、を備えて構成されている。
【００１７】
図２に示すように、着脱部３は、略４角形状を有し、その４角形状の上辺３０（後述する他の３辺とは異なり、切れ込みは形成されていないので２点鎖線で示す）を除き、他の３辺には基材層１を貫通する連続した切れ込み３１，３２，３３が形成され、かつ他の３辺の切れ込み３１，３２，３３のうち左右の２辺の切れ込み（左右切れ込み）３１，３２が互いに対称形又は非対称形の鋸形状を有している。４角形状の上辺３０を残して３辺の切れ込み３１，３２，３３を切り離すことによって、外部の取付け対象２０（図３参照）を基材層１との間で着脱可能に挟持し得る舌片部３４を形成し得るように構成されている。なお、本発明において、「鋸形状」とは、２以上の連続した山形の凸部を有する形状を意味する。
【００１８】
上述の舌片部３４を構成することになる左右切れ込み３１，３２は、鋸形状を有するものであれば、互いに対称形又は非対称形のいずれであってもよいが、図１、２に示すように、互いに非対称形である方が好ましい。これは、図４に示すように、非対称形の鋸形状を有する切れ込み３１，３２の方が、舌片部３４の形成前（舌片部３４として分離される前）の位置に復旧し難い（鋸形状が互いに重なり合って邪魔をし合うため抵抗が大きく戻り難い）ため、害虫捕獲用粘着シート１０が取付け対象２０から逸脱することを有効に防止することができる。なお、鋸形状は、波形状（２以上の連続した波頭形の凸部を有する形状）等であってもよい。
【００１９】
また、本実施の形態においては、他の２辺の鋸形状の切れ込み（左右切れ込み）３１，３２のそれぞれの最上端には、それぞれに接続して、基材層１を貫通する円形状の基材破断防止用貫通孔３５，３６が形成されている。具体的には、図３に示すように、この基材破断防止用貫通孔３５（基材破断防止用貫通孔３６の場合も同様と、左辺切れ込み３１とは、左右切れ込み３１の上端が、基材破断防止用貫通孔３５の中心から６０度で下方に開く、切れ込まれていない円弧部分の略中央に位置するようにして、接続されている。このように構成することによって、左右切れ込み３１，３２の上端における、風等の外力に基づく応力の付加を分散させて緩和することができ、この部分からの害虫捕獲用粘着シート１０の破断を有効に防止することができる。
【００２０】
また、図１に示すように、本実施の形態においては、基材層１の下方中央部に、基材層１の下方中央部を貫通するように、外部の取付け対象２０（図３参照）との着脱に使用される着脱用貫通孔４が形成されている。このように構成することによって、さらに、確実な取り付けを実現することができるとともに、害虫捕獲用粘着シート１０の取付け対象２０への多様な取付けを実現することできる。
【００２１】
また、図２に示すように、本実施の形態においては、着脱部３は、その上方中央部に、着脱部３が舌片部３４として着脱に使用されない場合（３辺の切れ込み３１，３２，３３を切り離して舌片部３４を形成することをしない場合）に備えて、基材層１を貫通する、外部の取付け対象２０（図３参照）との着脱に使用される着脱部貫通孔３８を有している。このように構成することによって、害虫捕獲用粘着シート１０の取付け対象２０への多様な取付けを実現することできる。
【００２２】
また、図２に示すように、本実施の形態においては、着脱部３は、その下辺の一部に形成された、切込み３３を中断する繋ぎ部３７をさらに有している。このように構成することによって、着脱部３が舌片部３４として着脱に使用されない場合（着脱部貫通孔３８が着脱に使用される場合）、外部からの着脱部３を破断させる力に対する抵抗力を増加させることができる。
【００２３】
上述の実施の形態においては、外部の取付け対象２０として、空中に張架された紐又はワイヤーを用いた場合を説明したが、例えば、害虫を捕獲する必要のある栽培植物の枝や茎等に直接取付けてもよい。
【００２４】
さらに、図５に示すように、本実施の形態の害虫捕獲用粘着シート１０は、短冊形状を有し、０．０３ｍｍ〜０．５ｍｍ、好ましくは０．０７ｍｍ〜０．４ｍｍの厚さを有するとともに、１ｍｍ〜７ｍｍ、好ましくは３ｍｍ〜５ｍｍの間隔、１ｍｍ〜７ｍｍ、好ましくは３ｍｍ〜５ｍｍの最大長さ、０．１ｍｍ〜３．０ｍｍ、好ましくは０．５ｍｍ〜２．０ｍｍの高さ、及び１．０ｍｍ２〜３６ｍｍ２、好ましくは４ｍｍ２〜２５ｍｍ２の凸面面積の凸部１を持った、光の明暗によるコントラスト効果を発現し得る凹凸構造（図示せず）を有する基材層１と、基材層１上に０．０３ｍｍ〜０．１ｍｍ、好ましくは０．０４ｍｍ〜０．０７ｍｍの厚さに形成された粘着剤層２とを備えた基本的構成を有している。
【００２５】
なお、本実施の形態においては、上述の基本的構成に加えて、基材層１と粘着剤層２との間に、さらに、０．００５ｍｍ〜０．０２ｍｍ、好ましくは、０．００８ｍｍ〜０．０１５ｍｍの厚さ及び昆虫を誘引する誘引色を有するともに、凹凸構造を有する着色層（図示せず）と、０．００５ｍｍ〜０．０２ｍｍ、好ましくは、０．００６ｍｍ〜０．０１５ｍｍの厚さ及び耐水性を有するともに、凹凸構造を有する保護層（図示せず）とを備えたものであってもよい。
【００２６】
また、基材層１の両面にそれぞれ、着色層、保護層及び粘着剤層２をこの順に備えてもよく、基材層１の片面に、着色層、保護層及び粘着剤層２をこの順に備えたものであってもよい。
【００２７】
本発明に用いられる基材層１は、弾力性や可撓性を有するとともに、雨露に晒されることが多いことから防水性や耐候性を有し、一般ゴミとして廃棄可能で、後述する粘着剤層２等を確実に保持することが可能な材料から構成することが好ましい。例えば、合成紙、紙から構成されてなるものが廃棄時の環境負荷が小さいことから好ましい。具体的には、ミルクカ−トン紙、コートボール紙、両面ＰＥ（ポリエチレン）フィルムラミネート紙等を挙げることができる。また、ポリエステル、ポエチレン、ポリスチロ−ル及びポリウレタンからなる群から選ばれる少なくとも一種の合成樹脂、金属箔、又は不織布であってもよい。
【００２８】
本発明に用いられる基材層１は、０．０３ｍｍ〜０．５ｍｍ、好ましくは、０．０７ｍｍ〜０．４ｍｍの厚さを有している。０．０３ｍｍ未満であると、凹凸構造の形状がなだらかになりすぎ、光の明暗によるコントラスト効果を発現できないことがあり、０．５ｍｍを超えると、凹凸構造の形状が設定の型に成型されず、崩れた凹凸構造になることがある。
【００２９】
本発明に用いられる基材層１は、上述のような凹凸構造を有している。すなわち、１ｍｍ〜７ｍｍ、好ましくは３ｍｍ〜５ｍｍの間隔、１ｍｍ〜７ｍｍ、好ましくは３ｍｍ〜５ｍｍの最大長さ、０．１ｍｍ〜３．０ｍｍ、好ましくは０．５ｍｍ〜２．０ｍｍの高さ及び１．０ｍｍ２〜３６ｍｍ２、好ましくは４ｍｍ２〜２５ｍｍ２の凸面面積の凸部と、凹部とを持った、光の明暗によるコントラスト効果を発現し得る凹凸構造を有している。従って、後述するように、この基材層１の上に、又は着色層若しくは保護層の上に、略均一に塗布されて構成される粘着剤層２の表面も同様な凹凸構造を有することになる。なお、凹凸構造における凸部は、上面視で四角形を有する柱状であってもよく、上面視で、円形、菱形等を有する柱状であってもよく、他の角錐台、円錐台のような形状であってもよい。例えば、正四角錐台の場合、最大長さとは、上面視で、頂部の狭い方の正方形の辺の長さではなく、底部の広い方の正方形の辺の長さを意味する。また、凸面面積とは、上面視で、頂部の狭い方の正方形の面積を意味する。さらに、長方形の角錐台の場合、最大長さとは、上面視で、底部の長方形の長い方の辺の長さを意味する。
【００３０】
このような凹凸構造を有するようにしたのは、自然界において、昆虫が集まる植物の葉や茎の表面は、平面状でなく、凹凸状になっていることに着目し、昆虫の自然界の状況を再現したものである。すなわち、昆虫は、光の明暗のコントラストのある場所に、より多く誘引されることを利用して、上述の凹凸構造を、光の明暗によるコントラスト効果を発現し得るように構成し、害虫の捕獲性を向上させたものである。
【００３１】
また、基材層１及び粘着面層２の凹凸構造の形状を上記の寸法の範囲内で調整することによって、作業者及び植物の葉や茎が接触した場合、これらとの接触面積を変化、低減させて容易に再剥離をすることが可能となり、また、植物の密集部にも設置が可能となり、使い勝手（作業性）を向上させることができる。また、実用上、製品として、粘着面層２の表面に剥離材を積層して保存したり運搬する場合が多いが、この場合、軽剥離が可能なため、安価なもの、例えば、汎用の剥離紙を用いることができ、コストの低減化を図ることができる。
【００３２】
また、このような粘着シートを積層した積層品として用いる場合に、剥離の際の剥離力を、粘着剤層２の粘着力を弱めることなしに低減することができ、使い勝手（作業性）を向上させることができる。なお、粘着剤の粘着力を弱めると、粘着剤のフローに起因してタレが発生し、作物を汚染することがある。
【００３３】
また、害虫に比べて体長が比較的大きく長い脚を有するマルハナバチ等の益虫の脚との接触面積を低減することができることから、体長の小さな害虫だけを確実に捕獲することができ、害虫の選択的捕獲が可能である。
【００３４】
さらに、凹凸構造を有することから、害虫捕獲用粘着シートの構造体としての剛性が増大し、カールすることが有効に防止される。カールが防止されると、粘着剤層の有効面積を保持することができるとともに、デザイン性としての外観の見栄えを保持することができる。
【００３５】
上述の凹凸構造を有する粘着面層２に用いられる粘着剤としては、害虫を確実に捕捉するとともに、高温時のフローによるタレを防止し、また積層品における剥離力を軽減化するものであれば特に制限はないが、例えば、耐水性を有して乾燥すれば粘着力が回復するもので、かつ誘引色を遮蔽することのない透明なものであることが好ましい。その凝集力としては、害虫の確実な捕捉、タレの防止、また剥離力の軽減化等の観点から、例えば、粘度として１０２Ｐａ・ｓ〜２×１０６Ｐａ・ｓが好ましい。具体的には、アクリル系、ゴム系及びシリコン系からなる群から選ばれる少なくとも一種の透明粘着剤を好適例として挙げることができる。後述するファイバー塗工する場合に好適なホットメルト型の粘着剤であってもよい。なお、粘着剤層は、基材層１の全体を被覆したものであってもよく、少なくとも一部を被覆するものであってもよい。
【００３６】
粘着剤層２の形成方法としては、特に制限はないが、例えば、印刷、塗装、貼付け等の方法を用いることができる。また、揮発性溶媒の揮発による微細な対流パターン形成現象を利用した、所謂ファイバー塗工であってもよい。このファイバー塗工によって、単位面積当たりの粘着剤の使用量の低減を図ることができるとともに、凹凸構造の形状に馴染んだ、均一な厚さの粘着剤層２を形成することができる。粘着剤層２の厚さは、通常、０．０３ｍｍ〜０．１ｍｍで、０．０４ｍｍ〜０．０７ｍｍが好ましい。
【００３７】
上述のように、本実施の形態においては、基本的構成に加えて、基材層１と粘着剤層２との間に、さらに、０．００５ｍｍ〜０．０２ｍｍ、好ましくは、０．００８ｍｍ〜０．０１５ｍｍの厚さ及び昆虫を誘引する誘引色を有するともに、凹凸構造を有する着色層（図示せず）と、０．００５ｍｍ〜０．０２ｍｍ、好ましくは、０．００６ｍｍ〜０．０１５ｍｍの厚さ及び耐水性を有するともに、凹凸構造を有する保護層（図示せず）とを備えている。
【００３８】
本実施の形態においては、上述のように、基材層１の少なくとも一部が、着色層によって被覆されていることが、捕獲性の向上の観点から好ましい。本実施の形態に用いられる着色層は、害虫に固有の誘引色に着色されてなるものであることが好ましい。誘引色としては、例えば、黄色、青色又は桃色を好適例として挙げることができる。黄色、青色又は桃色の誘引色は、マンセル表色値を用いた反射色で、黄色は、色相：４Ｙ、明度：７、彩度：１４、また、青色は、色相：３．０ＰＢ、明度：５．４、彩度：１０．６、また、桃色は、色相：５Ｒ、明度：６．５、彩度：８の範囲のものであることが特に好ましい。この場合、誘引色は、基材層１１に、黄色、青色又は桃色の顔料を印刷で塗膜層として形成してもよく、黄色、青色又は桃色の顔料を基材層１に練り込んで形成してもよい。
【００３９】
害虫の誘引性を高めるため、誘引色の上にさらに紫外線反射層及び／又は紫外線吸収層を配設してもよい。紫外線反射層としては、例えば、酸化亜鉛、酸化カルシウム、酸化チタン、酸化鉛、蛍光顔料及びアルミニウム粉体からなる群から選ばれる少なくとも一種を含有してなるものを好適例として挙げることができる。また、紫外線吸収層としては、例えば、サルチル酸系、ベンゾフエノン系及びベンゾトリアゾ−ル系からなる群から選ばれる少なくとも一種の紫外線吸収剤を含有してなるものを好適例として挙げることができる。
【００４０】
本実施の形態に用いられる着色層は、０．００５ｍｍ〜０．０２ｍｍ、好ましくは０．００８ｍｍ〜０．０１５ｍｍの厚さを有している。０．００５ｍｍ未満であると、太陽光で黄色の退色が大きくなることがあり、０．０２ｍｍを超えると、着色層に微細な割れが発生して誘引効果が低下することがある。
【００４１】
本実施の形態においては、上述のように、基材層１及び着色層が、保護層によって被覆されていることが、及び耐候性の向上や凹凸構造の型崩れの防止の観点から好ましい。すなわち、本実施の形態に用いられる保護層は、基材層１として、廃棄時の環境負荷の低減の観点から、薄手の紙を用いた場合に、劣った耐水性等をカバーする必要があることから有効である。特に、薄手の紙の場合は、例えば、エンボス加工で形成された凹凸構造が、凹凸構造に掛かる圧力で型が崩れることがあるため、保護層を用いて、この型崩れを防止することが好ましい。具体的には、薄手の紙からなる基材層１１の両面（通常、基材層１の両面には着色層が形成されているのでその場合は着色層のそれぞれの面）を保護層、例えば、ポリエチレンフィルムでラミネートし、エンボス加工時、例えば、５０℃〜２００℃の熱を掛けて、凹凸構造２０を形成して、室温でも型崩れがしないようにすることが好ましい。
【００４２】
本実施の形態に用いられるエンボス加工としては、特に制限はないが、例えば、加熱装置付きエンボスロール用いた方法を挙げることができる。具体的には、２本の金属製のエンボスロール、例えば、２本の鋼鉄製の凹凸エンボスロール、すなわち、正四角錐台の突起部を均等に配置した凸エンボスロールと、正四角錐台の凹部を形成した凹エンボスロールと、各々のロールの中に内蔵された電気ヒーターとを備えた加熱装置付きエンボスロールを用い、その加熱温度（ロール表面温度）を、例えば、１００℃〜１５０℃に設定し、粘着剤層を形成する前の基材層、又は基材層、着色層及び保護層からなる積層体を上述の２本のエンボスロール間に通すことによって、エンボス加工することを挙げることができる。
【００４３】
本発明に用いられる保護層は、０．００５ｍｍ〜０．０２ｍｍ、好ましくは０．００６ｍｍ〜０．０１５ｍｍの厚さを有している。０．００５ｍｍ未満であると、粘着シートをロール巻きにした場合、巻きの圧力で凹凸構造の形状が崩れることがあり、０．０２ｍｍを超えると、凹凸構造に形成する時の圧が大きくなり、基材へのシワの発生原因となることがある。
【００４４】
［害虫捕獲用粘着シートの製造方法］
本実施の形態の害虫捕獲用粘着シートの製造方法は、例えば、０．０３ｍｍ〜０．５ｍｍの厚さを有する基材層１を、１ｍｍ〜７ｍｍの間隔、１ｍｍ〜７ｍｍの最大長さ、０．１ｍｍ〜３．０ｍｍの高さ及び１．０ｍｍ２〜３６ｍｍ２の凸面面積の凸部を持った、光の明暗によるコントラスト効果を発現し得る凹凸構造を有する形状となるようにエンボス加工を施し、エンボス加工をした基材層１の表面の片面又は両面に、粘着剤を０．０３ｍｍ〜０．１ｍｍの厚さに塗布して粘着剤層２を形成し、さらに、着脱部３（切込み３１、３２，３３、基材破断防止用貫通孔３５，３６、繋ぎ部３７、着脱部貫通孔３８）及び着脱用貫通孔４を形成することを基本的構成として含む。
【００４５】
着脱部３及び着脱用貫通孔４の形成及びその後の作業としては、例えば、エンボス加工を施した基材層１に、粘着剤層２の形成をし、さらに必要に応じて、剥離材として剥離紙をラミネートした後に、打ち抜き及びシートカット加工することを挙げることができる。具体的には、ロータリー式打ち抜き機（連続回転式打ち抜き機）又はプレス機を用いて、貫通孔（着脱用貫通孔４、基材破断防止用貫通孔３５、３６、及び着脱部貫通孔３８）と、切込み（左辺切込み３１、右辺切込み３２、下辺切込み３３及び繋ぎ部３７）とを加工形成するとともに、外形形状をシート状（例えば、短冊形状）に加工して害虫捕獲用粘着シートとすることを挙げることができる。この場合、貫通孔と切込みとは同時に加工形成することが好ましい。また、定型幅に切断するために、着脱用貫通孔４を光センサーで読み取り、定型幅を制御することが好ましい。
【００４６】
なお、基材層１をエンボス加工した後に粘着剤層２を形成することに代えて、エンボス加工前の基材層１の表面の片面又は両面上に、０．００５ｍｍ〜０．０２ｍｍの厚さ及び昆虫誘引性の色彩を有する着色層、並びに／又は０．００５ｍｍ〜０．０２ｍｍの厚さ及び耐水性を有する保護層を積層して、基材層１並びに着色層及び／又は保護層を有する積層体を形成し、この積層体を、１ｍｍ〜７ｍｍの間隔、１ｍｍ〜７ｍｍの最大長さ、０．１ｍｍ〜３．０ｍｍの高さ及び１．０ｍｍ２〜３６ｍｍ２の凸面面積の凸部を持った、光の明暗によるコントラスト効果を発現し得る凹凸構造を有する形状となるようにエンボス加工をし、エンボス加工をした積層体の表面の片面又は両面上に、粘着剤を０．０３ｍｍ〜０．１ｍｍの厚さに塗布して粘着剤層２を形成し、粘着剤層２の粘着剤上に剥離材（図示せず）を貼り合せた後、着脱部３を形成することによって、害虫捕獲用粘着シート１０を得てもよい。このようにして得られた害虫捕獲用粘着シート１０は、粘着剤層２の上に剥離材が形成されて粘着面が保護されている。
【００４７】
本実施の形態においては、基材層、着色層、保護層及び粘着剤層としては、既述のものを用いることができ、それぞれの積層、形成方法も、汎用の方法を用いることができる。また、剥離材としても、剥離紙等の汎用されているものを用いることができる。
【実施例】
【００４８】
以下に、本発明の害虫捕獲用粘着シートを、実施例を用いてさらに具体的に説明する。なお、本発明は、以下の実施例によって、いかなる制限を受けるものではない。
【００４９】
（実施例１）
以下のようにして実施例１の害虫捕獲用粘着シートを作製した。すなわち、基材層としての厚さが０．３２ｍｍの厚手の紙（王子製紙社製：Ｎｅｗピジョン）の表裏面に、着色層として誘引色の黄色塗料（大日本インキ社製：ＸＯＳ−１２００）を１０μｍの厚さに印刷、形成し、次いで、この着色層を形成した基材層に、加熱装置付きエンボスロール（サイトウエンヂニアース社製：エンボスター４５０）を用いて、１２０〜１３０℃の温度で８ｍ／分のスピードでエンボス加工をして、間隔×最大長さ×高さが、４ｍｍ×４ｍｍ×１．２ｍｍで、凸面の面積が、１６ｍｍ２の凹凸構造を有する粘着シートを作製した。次いで、粘着剤（ホットメルト粘着剤：新日本石油社製：エバータックＳＡ−４００Ｅ）をホットメルト塗工機（サンツール社製）で５０μｍの厚さに塗布した。この場合、基材層に、粘着剤を、予めその粘度を１４０℃付近で、５００ｍｐａｓ〜６００ｍＰａｓに調整し、塗布量を調節しながら、ファィバー状にして直接塗工して粘着層を形成させた。その後、粘着層の表面に剥離紙（サンツール社製）を貼着した。その後、ロータリー式打ち抜き機（連続回転式打ち抜き機）（望月製作所社製）を用いて、着脱用貫通孔を光センサーで読み取り、定型幅を制御しながら、図２に示す鋸形状（全体として、縦の長さが３２．５ｍｍで、横の長さが３０ｍｍの四角形状で、左辺側が連続した山形の凸部（高さが３〜９ｍｍで底部の長さが６〜９ｍｍ）を３つ有する形状で、右辺側が連続した山形の凸部（高さが４．５〜９ｍｍで底部の長さが６〜９ｍｍ）を４つ有する非対称の形状であって、２つの基材破断防止用貫通孔を上端に有する着脱部（舌片部）を加工形成するとともに、外形形状を１００ｍｍ×２５０ｍｍの短冊形状に加工して、実施例１に係る害虫捕獲用粘着シートを２０枚作製した。これらの害虫捕獲用粘着シートについて、下記の逸脱試験を実施した。結果を表１に示す。
【００５０】
（実施例２〜４）
実施例２の害虫捕獲用粘着シートとして、着脱部（舌片部）の上端に基材破断防止用貫通孔を形成しなかったこと以外は、実施例１の場合と同様にして、粘着シートを２０枚作製した。また、実施例３の害虫捕獲用粘着シートとして、着脱部（舌片部）における鋸形状を、左右辺側で、連続した山形の凸部（高さが６ｍｍで底部の長さが６〜９ｍｍ）を３つ有する対称形状にし、かつ着脱部（舌片部）の上端に基材破断防止用貫通孔を形成しなかったこと以外は、実施例１の場合と同様にして、粘着シートを２０枚作製した。また、実施例４の害虫捕獲用粘着シートとして、着脱部（舌片部）における鋸形状を、左右辺側で、連続した山形の凸部（高さが６ｍｍで底部の長さが６〜９ｍｍ）を２つ有する対称形状にし、かつ着脱部（舌片部）の上端に基材破断防止用貫通孔を形成しなかったこと以外は、実施例１の場合と同様にして、粘着シートを２０枚作製した。これらの害虫捕獲用粘着シートについて、実施例１と同様の下記の逸脱試験を実施した。結果を表１に示す。
【００５１】
（比較例１）
また、比較例１の害虫捕獲用粘着シートとして、着脱部（舌片部）を鋸形状ではなく、左右辺側で、山形の凸部（高さが７．５ｍｍで底部の長さが３０ｍｍ）を１つ有する対称形状にし、かつ着脱部（舌片部）の上端に基材破断防止用貫通孔を形成しなかったこと以外は、実施例１の場合と同様にして、粘着シートを２０枚作製した。この害虫捕獲用粘着シートに、実施例１と同様の逸脱試験を実施した。結果を表１に示す。
【００５２】
（逸脱試験）
大協技研工業株式会社の事業所の３階建ての屋上に、直径が約３ｍｍの細紐を高さが１．５ｍとなるように張架し、実施例１〜３及び比較例１の害虫捕獲用粘着シートをそれぞれこの順に１枚ずつ１０ｃｍ間隔で並べて１セットとしてそれぞれの着脱部（舌片部）によって張架した細紐に取り付け、さらに、残りの１９セットを同様に取り付けた（最終的に８０枚の害虫捕獲用粘着シートを等間隔で細紐に取付けた）。この状態で３０日間放置して、３０日後に、観察した。なお、この期間の風速は、１〜７ｍ／秒であった。
【００５３】
0005501920.tif 000002
【符号の説明】
【００５４】
１    基材層
２    粘着剤層
３    着脱部
４    着脱用貫通孔
１０  害虫捕獲用粘着シート
３０  着脱部の上辺
３１  左辺切込み
３２  右辺切込み
３３  下辺切込み
３４  舌片部
３５  基材破断防止用貫通孔
３６  基材破断防止用貫通孔
３７  繋ぎ部
３８  着脱部貫通孔
【図１】
0005501920.tif 000003
【図２】
0005501920.tif 000004
【図３】
0005501920.tif 000005
【図４】
0005501920.tif 000006
【図５】
0005501920.tif 000007